(57)【要約】【課題】  組立てやすい高放熱発光ダイオード天井用灯を提供する。【解決手段】  組立てやすい高放熱発光ダイオード（ＬＥＤ）天井用灯１は、基部１０と底座２０と底殻３０と固定座４０と電源モジュール５０と放熱器６０とＬＥＤモジュール７０と笠８０とを備え、底座２０は、基部１０の底座に固定され、底殻３０は、接続槽３１が設置され、底座２０が接続槽３１の内に固定され、且つ底殻３０の下端に収容スペースが設置され、固定座４０は、底殻３０の下端に固定され、収容スペースの開口を封止し、電源モジュール５０は、底殻３０の下端の収容スペース内に設置され、放熱器６０は、固定座４０の下端をカバーし、ＬＥＤモジュール７０は、放熱器６０の下端の壁面に固定され、電源モジュール５０に電気的に接続され、笠８０は、放熱器６０の下端の壁面に固定され、ＬＥＤモジュール７０の下方を囲むことを特徴とする。【選択図】  図１
0003213518.tif 000002
【実用新案登録請求の範囲】
【請求項１】
基部と、底座と、底殻と、固定座と、電源モジュールと、放熱器と、発光ダイオード（ＬＥＤ）モジュールと、笠とを備えてなる組立てやすい高放熱発光ダイオード天井用灯であり、
前記基部は、矩形のベースであり、
前記底座は、外形が前記基部のフレームに対応し、前記基部に対応的に固定されており、
前記底殻は、上端面に接続槽が設置され、前記接続槽の外形が前記底座に対応し、前記底座が前記接続槽の内に対応的に固定され、前記基部が前記接続槽から露出し、且つ前記底殻の下端に収容スペースが設置され、
前記固定座は、前記底殻の下端に対応的に固定され、前記収容スペースの開口を封止し、
前記電源モジュールは、前記固定座に対応的に固定され、前記底殻の下端の前記収容スペース内に設置され、
前記放熱器は、前記固定座の下端をカバーする放熱部件であり、
前記ＬＥＤモジュールは、前記放熱器の下端の壁面に対応的に固定され、前記電源モジュールに電気的に接続され、
前記笠は、前記放熱器の下端に対応的に固定され、前記ＬＥＤモジュールの下方を対応的に囲む、ことを特徴とする発光ダイオード天井用灯。
【請求項２】
前記底殻の外周縁に対応的に固定される組立てカバーをさらに含んでなることを特徴とする請求項１に記載の組立てやすい高放熱発光ダイオード天井用灯。
【請求項３】
前記組立てカバーは、二つの、互いに対応している中空の環形半殻体により組み立てられてなる環形柱体であることを特徴とする請求項２に記載の組立てやすい高放熱発光ダイオード天井用灯。
【請求項４】
前記組立てカバーは、内部が中空となり、半径が前記底殻の外周縁より大きい環形壁を含み、
前記環形壁の内壁面から複数の接続アームが延在してなり、
前記接続アームの延在端が前記底殻の外周縁に対応的に押し付けられることにより、前記組立てカバーが前記底殻に固定されるようにする、ことを特徴とする請求項２に記載の組立てやすい高放熱発光ダイオード天井用灯。
【請求項５】
前記基部は、内部が中空となる殻体であることを特徴とする請求項２に記載の組立てやすい高放熱発光ダイオード天井用灯。
【請求項６】
前記底殻は、断面が円形となる殻体であることを特徴とする請求項２に記載の組立てやすい高放熱発光ダイオード天井用灯。
【請求項７】
前記底座は、係合ネジにより前記接続槽と対応的に固定されることを特徴とする請求項２に記載の組立てやすい高放熱発光ダイオード天井用灯。
【請求項８】
前記放熱器の外環に少なくとも一つの放熱フィンが延在し設置されることを特徴とする請求項２に記載の組立てやすい高放熱発光ダイオード天井用灯。
【考案の詳細な説明】
【技術分野】
【０００１】
本考案は、組立てやすい高放熱発光ダイオード（ＬＥＤ）天井用灯に関し、特に取り付け・取り外し便利性のある小型天井用灯具に関する。
【背景技術】
【０００２】
従来、照明用白光を提供する蛍光灯を光源として灯具は、室内照明で広くて使用されてくるものであるので、伝統的な照明技術では最も主要な照明用灯具となる。しかしながら、蛍光灯は、体積が大きいので、製造、使用又は廃棄される際に、大量な水銀が放出され、環境汚染を招いてしまう危険性がある。なお、蛍光灯は、1000時間ほどの寿命がとても短いのみならず、フィラメントの発熱に使われた電気エネルギーのうち、わずか10％だけが可視光線に変わり、残り90％の電気エネルギーが、無用な熱などに変わり空気へ散逸し、電気エネルギーの消耗となってしまう。それらの欠点があるので、自然環境に負担をかけることがある言うまでもない。
【０００３】
近年、発光ダイオード照明技術が発展してくる。特に白光ＬＥＤが現れると、ＬＥＤが光源又は照明製品として使用されることで、新しい時代を開き、ＬＥＤにおいて最大な、発展可能性がある市場と言える。ＬＥＤは、環境にやさしさ、省エネルギー、高効率、長い使用寿命、小型の体積、及び速い反応などの利点を有している。伝統的な蛍光灯の欠点を避け、環境にやさしさ、及びＣＯ２排出削減と省エネルギー効果の要求に応じるために、伝統的な蛍光灯を代わり、照明技術の領域の当業者が遂にＬＥＤ灯具を開発し、どんどん各種の照明技術の領域に使用してくる。ＬＥＤ照明技術は、２１世紀の光源として、伝統的な光源を代わり、主要な照明光源と使用されることができると認められる。
【０００４】
なお、従来の室内装飾の応用分野において、ＬＥＤで寸法の大きい天井用灯を製作することがある。しかし、放熱効率が低下し、組立て工事が複雑になるために、その天井用灯の寸法を小さくすることも、その取り付け工事も困難となる。
【０００５】
先ず、寸法を減縮させることができないと、空間を利用する際に制限されることがあるし、効率的に室内空間を利用することが困難となる。また、整体構成の重量が天井にも負担をかける。さらに、取り付け・取り外し便利性が低下する問題があるので、室内空間の取り付け工事または修繕工事に損をさせるし、使用者にも不便となる。
【０００６】
よって、考案者にとって、上記の問題点を改善し、さらに産業上実施できることを増進するために、組立てやすい高放熱発光ダイオード天井用灯を開発する必要がある。
【０００７】
従来の高放熱発光ダイオード天井用灯を開示する文献として下記の特許文献１がある。特許文献１に開示の発光ダイオード照明器具は、透光キャップと、複数のＬＥＤが設けられたＬＥＤ基板と、放熱体と、伝導性/高分子放熱樹脂材で成形された補助放熱体と、放熱型上部ケースと、電源供給部とを備え、単独で照明灯の機能を遂行するか、又は所定の面積及び形状を有するケース内に数個を設置することによって目当ての出力を有する様々な照明器具を製造するのに使用できる。この発光ダイオード照明器具において、四方に空気が流通できるように数個の流線形の放熱棒が放射状にその上面に一体に突出形成され、前記ＬＥＤから発生する熱を放熱させる放熱体の底部外周面に沿って「逆Ω」形状を有する開放型溝と閉鎖型孔が備わった「Ω」形状のフィンが連続して繰り返し形成される放熱フランジが形成されている。
【０００８】
しかしながら、特許文献１に開示の発光ダイオード照明器具は、天井に取り付けにくいし、また取り外しにくいという問題があった。
【先行技術文献】
【特許文献】
【０００９】
【特許文献１】特開２０１４−２２９６０７号公報
【考案の概要】
【考案が解決しようとする課題】
【００１０】
本考案は上記の問題点に鑑みてなされたものであり、その目的は、従来技術の欠点を改善するために、新規性、進歩性及び実用性などの要件を具する組立てやすい高放熱発光ダイオード天井用灯を提供するものである。
【課題を解決するための手段】
【００１１】
上記の目的を達するために、本考案に採用した技術的手段によれば、基部と底座と底殻と固定座と電源モジュールと放熱器と発光ダイオードモジュールと笠とを備えてなる組立てやすい高放熱発光ダイオード天井用灯であり、前記基部は、矩形のベースであり、前記底座は、外形が前記基部のフレームに対応し、前記基部に対応的に固定されており、前記底殻は、上端面に接続槽が設置され、前記接続槽の外形が前記底座に対応し、前記底座が前記接続槽の内に対応的に固定され、前記基部が前記接続槽から露出し、且つ前記底殻の下端に収容スペースが設置され、前記固定座は、前記底殻の下端に対応的に固定され、前記収容スペースの開口を封止し、前記電源モジュールは、前記固定座に対応的に固定され、前記底殻の下端の前記収容スペース内に設置され、前記放熱器は、前記固定座の下端をカバーする放熱部件であり、前記ＬＥＤモジュールは、前記放熱器の下端の壁面に対応的に固定され、前記電源モジュールに電気的に接続され、前記笠は、前記放熱器の下端に対応的に固定され、前記ＬＥＤモジュールの下方を対応的に囲むことを特徴とする。
【００１２】
好ましくは、前記組立てやすい高放熱発光ダイオード天井用灯は、前記底殻の外周縁に対応的に固定される組立てカバーをさらに含んでなる。
【００１３】
好ましくは、前記組立てカバーは、二つの、互いに対応している中空の環形半殻体により組み立てられてなる環形柱体でもよい。
【００１４】
好ましくは、前記組立てカバーは、内部が中空となり、半径が前記底殻の外周縁より大きい環形壁を含み、前記環形壁の内壁面から複数の接続アームが延在してなり、前記接続アームの延在端が前記底殻の外周縁に対応的に押し付けられることにより、前記組立てカバーが前記底殻に固定されるようにする。
【００１５】
好ましくは、前記基部は、内部が中空となる殻体である。
【００１６】
好ましくは、前記底殻は、断面が円形となる殻体である。
【００１７】
好ましくは、前記底座は、係合ネジにより前記接続槽と対応的に固定される。
【００１８】
好ましくは、前記放熱器の外環に少なくとも一つの放熱フィンが延在し設置される。
【考案の効果】
【００１９】
本考案の組立てやすい高放熱発光ダイオード天井用灯は、構成の配置により小型且つ高放熱効率のＬＥＤ天井用灯を実現することができ、簡単な構成、軽量及び低コストなどの有利な点がある。なお、取り付け・取り外す際に従来の大型の天井用灯に比べてより優れた便利性がありので、従来の技術には達成することができないものである。
【図面の簡単な説明】
【００２０】
【図１】本考案の組立てやすい高放熱発光ダイオード天井用灯を示す分解斜視図である。
【図２】本考案の組立てやすい高放熱発光ダイオード天井用灯を示す平面図である。
【図３】本考案の組立てやすい高放熱発光ダイオード天井用灯の変形例を示す分解斜視図である。
【図４】本考案の組立てやすい高放熱発光ダイオード天井用灯の変形例を示す平面図である。
【考案を実施するための形態】
【００２１】
図１は本考案の組立てやすい高放熱発光ダイオード天井用灯を示す分解斜視図であり、図２は本考案の組立てやすい高放熱発光ダイオード天井用灯を示す平面図である。図１と図２を参照し、本考案に提出した組立てやすい高放熱発光ダイオード（ＬＥＤ）天井用灯１は、好ましい実施例の一つとして、基部１０と底座２０と底殻３０と固定座４０と電源モジュール５０と放熱器６０とＬＥＤモジュール７０と笠８０と組立てカバー９０とを備えてなる。
【００２２】
基部１０は、矩形のベースであり、もしくは内部が中空となる殻体であってもよく、室内空間の天井に固定されている。
【００２３】
底座２０は、外形が基部１０のフレームに対応し、基部１０に対応的に固定されている。
【００２４】
底殻３０は、断面が円形となる殻体であってもよく、且つその上端面に接続槽３１が設置され、接続槽３１の外形が底座２０に対応し、底座２０が接続槽３１の内に対応的に固定され、基部１０が接続槽３１から露出している。底座２０は、係合ネジ３２により接続槽３１と対応的に固定されており、底殻３０の下端に収容スペースが設置されている。
【００２５】
固定座４０は、底殻３０の下端に対応的に固定されており、且つ前記収容スペースの開口を封止している。
【００２６】
電源モジュール５０は、固定座４０に対応的に固定され、底殻３０の下端の前記収容スペース内に設置されている。
【００２７】
放熱器６０は、固定座４０の下端をカバーする放熱部件である。放熱器６０の外環に少なくとも一つの放熱フィン６１が延在し設置されており、固定座４０内の電源モジュール５０を放熱するためのものである。
【００２８】
ＬＥＤモジュール７０は、放熱器６０の下端の壁面に対応的に固定され、且つ電源モジュール５０に電気的に接続されており、電源モジュール５０から電力の供給を受け発光するとともに、放熱器６０により放熱することができる。
【００２９】
笠８０は、放熱器６０の下端に対応的に固定されており、且つＬＥＤモジュール７０の下方を対応的に囲んでなる。
【００３０】
組立てカバー９０は、底殻３０の外周縁に対応的に固定されており、二つの、互いに対応している中空の環形半殻体により組み立てられてなる環形柱体であってもよい。
【００３１】
図３は本考案の組立てやすい高放熱発光ダイオード天井用灯の変形例を示す分解斜視図であり、図４は本考案の組立てやすい高放熱発光ダイオード天井用灯の変形例を示す平面図である。図３と図４を参照し、組立てカバー９０Ａは、一つの実施例にて内部が中空となる環形壁９１Ａであってもよく、その半径が底殻３０の外周縁より大きくなる。環形壁９１Ａの内壁面から複数の接続アーム９２Ａが延在しており、且つ接続アーム９２Ａの延在端が底殻３０の外周縁に対応的に押し付けられることにより、組立てカバー９０Ａが底殻３０に固定されるようにする。
【００３２】
本考案の組立てやすい高放熱発光ダイオード天井用灯は、構成の配置により小型且つ高放熱効率のＬＥＤ天井用灯を実現することができ、簡単な構成、軽量及び低コストなどの有利な点がある。なお、取り付け・取り外す際に従来の大型の天井用灯に比べてより優れた便利性がありので、従来の技術には達成することができないものである。
【符号の説明】
【００３３】
１                        組立てやすい高放熱発光ダイオード天井用灯
１０                      基部
２０                      底座
３０                      底殻
３１                      接続槽
３２                      係合ネジ
４０                      固定座
５０                      電源モジュール
６０                      放熱器
６１                      放熱フィン
７０                      ＬＥＤモジュール
８０                      笠
９０                      組立てカバー
９０Ａ                    組立てカバー
９１Ａ                    環形壁
９２Ａ                    接続アーム
【図１】
0003213518.tif 000003
【図２】
0003213518.tif 000004
【図３】
0003213518.tif 000005
【図４】
0003213518.tif 000006